(57)【要約】  無線アクセステクノロジー（RAT）におけるカバレッジホールを識別する実施形態が説明される。いくつかの実施形態において、ネットワーク管理（NM）装置が、第1のUEにより取られた1又は複数の測定値を含む第1のレポートを、第1のRATと該第1のRATとは異なる第2のRATとの間の第1のUEのハンドオーバに関連するイベントに応じて、受信することができる。上記NM装置は、第2のUEにより取られた1又は複数の測定値を含む第2のレポートを、第1のRATと該第1のRATとは異なる第3のRATとの間の第2のUEのハンドオーバに関連するイベントに応じて、受信することができる。上記NM装置は、第1のレポートと第2のレポートとに少なくとも部分的に基づいて、第1のRATのカバレッジエリア内のホールを識別することができる。他の実施形態が説明され、クレームされ得る。
2015526950.tif 000002
【特許請求の範囲】
【請求項１】
命令を有する1又は複数のコンピュータ読取可能媒体であって、前記命令は、実行されると、ネットワーク管理（NM）装置に、
第1のユーザ機器（UE）により取られた1又は複数の測定値を含む第1のレポートを、第1の無線アクセステクノロジー（RAT）と該第1のRATとは異なる第2のRATとの間の前記第1のUEのハンドオーバに関連するイベントに応じて、受信するステップと、
第2のUEにより取られた1又は複数の測定値を含む第2のレポートを、前記第1のRATと前記第1のRATとは異なる第3のRATとの間の前記第2のUEのハンドオーバに関連するイベントに応じて、受信するステップと、
前記第1のレポート及び前記第2のレポートに少なくとも部分的に基づいて、前記第1のRATのカバレッジエリア内のホールを識別するステップと、
を実行させる、1又は複数のコンピュータ読取可能媒体。
【請求項２】
前記第1のRATはE-UTRA（evolved  universal  terrestrial  radio  access）テクノロジーである、請求項1の1又は複数のコンピュータ読取可能媒体。
【請求項３】
前記第2のRATと前記第3のRATとの各々は、UTRA（universal  mobile  telecommunications  system  terrestrial  radio  access）テクノロジー又はGERA（global  system  for  mobile  communications  enhanced  data  rates  for  global  system  for  mobile  communication  evolution  radio  access）テクノロジーである、請求項1又は請求項2の1又は複数のコンピュータ読取可能媒体。
【請求項４】
前記第1のRATと前記第2のRATとの間の前記第1のUEの前記ハンドオーバは、第1のE-UTRAN（evolved  universal  terrestrial  radio  access  network）セルと前記第2のRATとの間の前記第1のUEのハンドオーバであり、前記第1のRATと前記第3のRATとの間の前記第2のUEの前記ハンドオーバは、第2のE-UTRANセルと前記第3のRATとの間の前記第2のUEのハンドオーバであり、前記第2のE-UTRANセルは、前記第1のE-UTRANセルとは異なる、請求項1の1又は複数のコンピュータ読取可能媒体。
【請求項５】
前記第1のレポートに含まれる前記1又は複数の測定値は、参照信号受信電力（RSRP）、参照信号受信品質（RSRQ）、前記第1のRATにおいて前記第1のUEにサービスしたセルの識別子、場所情報、及びハンドオーバに関連するイベントの時刻を表すタイムスタンプのうち、1又は複数を含む、請求項1の1又は複数のコンピュータ読取可能媒体。
【請求項６】
前記第1のUEと前記第2のUEとは共通のUEである、請求項1の1又は複数のコンピュータ読取可能媒体。
【請求項７】
前記第1のレポート及び前記第2のレポートに少なくとも部分的に基づいて、前記第1のRATのカバレッジエリア内のホールを識別するステップは、前記第1のレポートと前記第2のレポートとを相互に関連付けるステップを含む、請求項1の1又は複数のコンピュータ読取可能媒体。
【請求項８】
実行されると、前記NM装置に、
前記の識別されたホールに基づいて補正動作を推奨するステップ
を実行させる命令をさらに有する、請求項1の1又は複数のコンピュータ読取可能媒体。
【請求項９】
第1の無線アクセステクノロジー（RAT）に関連付けられた進化型ノードB（eNB）であって、
当該eNBによりサービスされるセル内のユーザ機器（UE）に、前記第1のRATとは異なる第2のRATに前記UEをハンドオーバするコマンドを送信する第1の送信器回路と、
前記コマンドに応答した前記UEから、前記UEにより取られ、かつ前記セルの境界に近接した状態を表す1又は複数の測定値を受信する受信器回路と、
ドメイン管理（DM）装置又はネットワーク管理（NM）装置に、前記第1のRATにおけるカバレッジホールの識別に用いる前記1又は複数の測定値を含むレポートを送信する第2の送信器回路と、
を含むeNB。
【請求項１０】
前記第2のRATは、UTRA（universal  mobile  telecommunications  system  terrestrial  radio  access）テクノロジー又はGERA（global  system  for  mobile  communications  enhanced  data  rates  for  global  system  for  mobile  communications  evolution  radio  access）テクノロジーを含む、請求項9のeNB。
【請求項１１】
前記1又は複数の測定値は、前記UEにおける前記コマンドの受信に応じて前記UEによって取られる、請求項9のeNB。
【請求項１２】
前記1又は複数の測定値は、前記UEにおける前記コマンドの受信の前に前記UEによって取られる、請求項9のeNB。
【請求項１３】
前記第1の送信器回路は、さらに、
前記UEに、前記セルの前記境界に近接した状態を表すものとしてどの測定値が前記UEにより取られるべきかを表すパラメータを送信する、
請求項9乃至12のうちいずれか1項のeNB。
【請求項１４】
前記パラメータは、参照信号受信電力（RSRP）、参照信号受信品質（RSRQ）、前記セルの識別子、場所情報、及びハンドオーバに関連するイベントの時刻を表すタイムスタンプのうち、1又は複数を表す、請求項13のeNB。
【請求項１５】
DM装置又はNM装置に、前記1又は複数の測定値を含むレポートを送信することは、NM装置の集中化されたカバレッジ及び容量最適化（CCO）機能に前記レポートを送信することを含む、請求項9のeNB。
【請求項１６】
ユーザ機器（UE）であって、
当該UEにサービスする進化型ノードB（eNB）であり、当該UEに近接してカバレッジホールを有する第1の無線アクセステクノロジー（RAT）に関連付けられた、eNBから、前記第1のRATとは異なる第2のRATに当該UEをハンドオーバするコマンドを受信する受信器回路と、
前記eNBに、前記コマンドの受信に応じて、前記UEにより取られ、かつ前記カバレッジホールに近接した状態を表す1又は複数の測定値を送信する送信器回路と、
前記1又は複数の測定値が前記eNBに送信された後、前記第2のRATへのハンドオーバを行うハンドオーバ回路と、
を含むUE。
【請求項１７】
前記第2のRATは、UTRA（universal  mobile  telecommunications  system  terrestrial  radio  access）テクノロジー又はGERA（global  system  for  mobile  communications  enhanced  data  rates  for  global  system  for  mobile  communication  evolution  radio  access）テクノロジーである、請求項16のUE。
【請求項１８】
第2のRATに当該UEをハンドオーバするコマンドの受信は、前記eNBによりサービスされる前記第1のRATのセルの境界に当該UEが近接したとき生じる、請求項16のUE。
【請求項１９】
第2のRATに当該UEをハンドオーバするコマンドの受信は、前記eNBによりサービスされるE-UTRANセルの境界に当該UEが近接し、かつ当該UEにサービスするほど当該UEに十分に近い他のE-UTRANセルがないとき生じる、請求項18のUE。
【請求項２０】
前記1又は複数の測定値を取る測定回路、をさらに含み、
前記1又は複数の測定値は、参照信号受信電力（RSRP）、参照信号受信品質（RSRQ）、前記第1のRATにおいて当該UEにサービスしたセルの識別子、場所情報、及びハンドオーバに関連するイベントの時刻を表すタイムスタンプを含む測定値の群のうち1又は複数の測定値を含む、
請求項16乃至19のうちいずれか1項のUE。
【請求項２１】
ネットワーク管理装置が無線アクセステクノロジー（RAT）のカバレッジエリア内のホールを識別する方法であって、
第1のユーザ機器（UE）により取られた1又は複数の測定値を含む第1のレポートを、第1の無線アクセステクノロジー（RAT）と該第1のRATとは異なる第2のRATとの間の前記第1のUEのハンドオーバに関連するイベントに応じて、受信するステップと、
第2のUEにより取られた1又は複数の測定値を含む第2のレポートを、前記第1のRATと前記第1のRATとは異なる第3のRATとの間の前記第2のUEのハンドオーバに関連するイベントに応じて、受信するステップと、
前記第1のレポート及び前記第2のレポートに少なくとも部分的に基づいて、前記第1のRATのカバレッジエリア内のホールを識別するステップと、
を含む方法。
【請求項２２】
前記第1のRATはE-UTRA（evolved  universal  terrestrial  radio  access）テクノロジーである、請求項21の方法。
【請求項２３】
前記第2のRATと前記第3のRATとの各々は、UTRA（universal  mobile  telecommunications  system  terrestrial  radio  access）テクノロジー又はGERA（global  system  for  mobile  communications  enhanced  data  rates  for  global  system  for  mobile  communication  evolution  radio  access）テクノロジーである、請求項21又は請求項22の方法。
【請求項２４】
前記第1のRATと前記第2のRATとの間の前記第1のUEの前記ハンドオーバは、第1のE-UTRAN（evolved  universal  terrestrial  radio  access  network）セルと前記第2のRATとの間の前記第1のUEのハンドオーバであり、前記第1のRATと前記第3のRATとの間の前記第2のUEの前記ハンドオーバは、第2のE-UTRANセルと前記第3のRATとの間の前記第2のUEのハンドオーバであり、前記第2のE-UTRANセルは、前記第1のE-UTRANセルとは異なる、請求項21の方法。
【請求項２５】
前記第1のレポートに含まれる前記1又は複数の測定値は、参照信号受信電力（RSRP）、参照信号受信品質（RSRQ）、前記第1のRATにおいて前記第1のUEにサービスしたセルの識別子、場所情報、及びハンドオーバに関連するイベントの時刻を表すタイムスタンプのうち、1又は複数を含む、請求項21の方法。
【請求項２６】
前記の識別されたホールに基づいて補正動作を推奨するステップ、
をさらに含む請求項21の方法。
【発明の詳細な説明】
【技術分野】
【０００１】
本開示は、概してワイヤレス通信に関し、より具体的には無線アクセステクノロジー（radio  access  technology）（RAT）においてカバレッジホールを識別するためのシステム及び手法に関する。
【背景技術】
【０００２】
E-UTRA（evolved  universal  terrestrial  radio  access）テクノロジーなどのいくつかのRATが、ピーク時間帯のトラフィック輻輳を軽減する目的で人口密度の高い場所に配置されることがある。高密度の場所におけるこれらRATの選択的使用のため、任意の上記RATが、カバレッジホールを（例えば、高密度の場所と高密度の場所との間の低密度の場所において）、特にこれらRATの初期の配置段階において、有する可能性がある。UTRA（universal  mobile  telecommunications  system  terrestrial  radio  access）テクノロジー又はGERA（global  system  for  mobile  communications  enhanced  data  rates  for  global  system  for  mobile  communication  evolution  radio  access）テクノロジーなどのレガシーRATは、基礎となるエリアに対するカバレッジを（高密度の場所と低密度の場所との双方において）提供することができる。複数のRATを備えたエリアにおいて、RATにより提供されるサービスを利用するユーザ機器（UE）は、例えばUEの移動とRATトラフィックにおける変化とに応じて、RAT間で引き渡されることがある（インターRAT（inter-RAT）ハンドオーバと呼ばれる）。
【発明の概要】
【発明が解決しようとする課題】
【０００３】
例えば、E-UTRAテクノロジーなどの移動元RATのセルが、他のRATの1又は複数のセル（例えば、UTRANセル又はGERANセル）によりオーバレイされるとき、E-UTRANにおけるカバレッジホールに近づくUEは、無線リンク障害（radio  link  failure）（RLF）レポートを生成することに代わって、他のRATの1つにハンドオーバされることができる。RLFレポートがE-UTRANにより受信されないため、ネットワーク管理機能は、E-UTRANカバレッジホールに気付かない可能性がある。
【課題を解決するための手段】
【０００４】
本明細書に開示される実施形態のいくつかに従い、別のRATへのハンドオーバが生じたときに測定レポートを送信することによって、移動元RAT（E-UTRAテクノロジーなど）は、事前に気付かれていないカバレッジホールを識別することができる。
【図面の簡単な説明】
【０００５】
本願実施形態は、添付の図面と共に下記の詳細な説明によって容易に理解されるであろう。本説明を容易にするために、同様の参照番号は同様の構造的要素を指定する。実施形態は、添付の図面の図において、限定としてではなく例として示されている。
【図１】種々の実施形態に従う、1つのRATにおけるカバレッジホールに近接して2つのインターRATハンドオーバが生じる環境を示す。
【図２】種々の実施形態に従う、RATカバレッジ分析及び補正動作のための一例示的システムを示すブロック図である。
【図３】種々の実施形態に従う、ネットワーク管理（NM）装置により実行可能な一例示的インターRATハンドオーバプロセスのフロー図である。
【図４】種々の実施形態に従う、進化型ノードB（evolved  nodeB）（eNB）により実行可能な一例示的インターRATハンドオーバプロセスのフロー図である。
【図５】種々の実施形態に従う、ユーザ機器（UE）により実行可能な一例示的インターRATハンドオーバプロセスのフロー図である。
【図６】種々の実施形態に従う、開示される実施形態の実施に適した一例示的コンピューティング装置のブロック図である。
【発明を実施するための形態】
【０００６】
無線アクセステクノロジー（RAT）においてインターRATハンドオーバ測定値（inter-RAT  handover  measurements）を用いてカバレッジホールを識別するシステム及び手法の実施形態が開示される。いくつかの実施形態において、ネットワーク管理（NM）装置が、第1のユーザ機器（UE）により取られる1又は複数の測定値を含む第1のレポートを、第1の無線アクセステクノロジー（RAT）と該第1のRATとは異なる第2のRATとの間の上記第1のUEのハンドオーバに関連するイベントに応じて受信することができる。NM装置は、第2のUEにより取られる1又は複数の測定値を含む第2のレポートを、第1のRATと該第1のRATとは異なる第3のRATとの間の第2のUEのハンドオーバに関連するイベントに応じて受信することができる。NM装置は、第1及び第2のレポートに少なくとも部分的に基づいて、第1のRATのカバレッジエリア内のホールを識別することができる。
【０００７】
本明細書に開示されるシステム及び手法は、他の方法で検出され得ないカバレッジホールの検出と特徴付けとを可能にすることができる。例えば、E-UTRAテクノロジーなどの移動元RATのセルが、他のRATの1又は複数のセル（例えば、UTRANセル又はGERANセル）によりオーバレイされるとき、E-UTRANにおけるカバレッジホールに近づくUEは、無線リンク障害（radio  link  failure）（RLF）レポートを生成することに代わって、他のRATの1つにハンドオーバされることができる。RLFレポートがE-UTRANにより受信されないため、ネットワーク管理機能は、E-UTRANカバレッジホールに気付かない可能性がある。本明細書に開示される実施形態のいくつかに従い、別のRATへのハンドオーバが生じたときに測定レポートを送信することによって、移動元RAT（E-UTRAテクノロジーなどの）は、事前に気付かれていないカバレッジホールを識別することができる。
【０００８】
本明細書に説明されるシステム及び手法の種々の実施形態を、多数の応用において有利に使用して、RATサービスの品質を向上することができる。例えば、インターRATハンドオーバ測定値を用いて識別されたカバレッジホールは、存在するRATセルの1又は複数のサービスパラメータ（例えば、形又は大きさ）を調整することによって最小化することができる。別の例において、識別されたカバレッジホールは、新しい基地局（例えばeNBであり、拡張型ノードB又はeノードBとも呼ばれる）をカバレッジ不足エリアに配置することによって消去され、あるいは低減されることができる。こうした実施形態は、カバレッジ及び容量最適化（coverage  and  capacity  optimization）（CCO）オペレーションに含まれることができる。本開示は、ネットワーク最適化が1又は複数のNM装置又は他の装置に集中化される応用を含むSON（self-organizing  network）の応用において特に有利であり得る。
【０００９】
下記の詳細な説明において、本説明の一部を形成する添付の図面に対して参照がなされ、図面は、全体を通じて同様の番号が同様の部分を指定し、図面において、実施され得る実施形態を例として示している。本開示の範囲から逸脱することなしに他の実施形態を利用することができ、構造的又は論理的な変更をすることができることを理解されたい。ゆえに、下記の詳細な説明は限定的な意味で解されるべきではなく、実施形態の範囲は添付される特許請求の範囲とその均等物とによって定義される。
【００１０】
種々のオペレーションが、複数の離散的な動作又はオペレーションとして順に、クレームされる主題を理解するのに最も役立つように説明され得る。しかしながら、説明の順序は、これらのオペレーションが必ず順序依存であることを示すとみなされるべきではない。具体的に、これらのオペレーションは、提示の順序において行われなくてもよい。説明されるオペレーションは、説明される実施形態とは異なる順序で行われてもよい。種々の追加のオペレーションが行われてもよく、かつ／あるいは、説明されるオペレーションが追加の実施形態において省略されてもよい。
【００１１】
本開示を目的として、表現「A及び／又はB」と「A又はB」とは、（A）、（B）又は（A及びB）を意味する。本開示を目的として、表現「A、B及び／又はC」は、（A）、（B）、（C）、（A及びB）、（A及びC）、（B及びC）又は（A、B及びC）を意味する。
【００１２】
本説明は、表現「一実施形態において」又は「実施形態において」を使用することがあり、これらは各々、同一の又は異なる実施形態の1又は複数を指すことがある。さらに、用語「含む」、「含んでいる」、「有する」及び同様のものは、本開示の実施形態を参照して使用されるとき、同義である。
【００１３】
用語「モジュール」又は「回路」は、本明細書において使用されるとき、1若しくは複数のソフトウェア若しくはファームウェアプログラム、組み合わせ論理回路、及び／又は説明される機能性を提供する他の適切なコンポーネントを実行する、特定用途向け集積回路（ASIC）、電子回路、プロセッサ（共有の、専用の又はグループ）及び／又はメモリ（共有の、専用の又はグループ）を指すことがあり、これらの部分であることがあり、あるいはこれらを含むことがある。
【００１４】
次に図1を参照し、種々の実施形態に従う、2つのインターRATハンドオーバが第1のRATにおけるカバレッジホール106に近接して生じる環境100を示す。図1において、第1のRAT（RAT1と示される）は、2つの基地局102a及び102bによりサポートされることができる。各基地局102a及び102bは、それぞれのカバレッジセル104a及び104b内でサービスを提供することができる。いくつかの実施形態において、第1のRATは、E-UTRAテクノロジーであってよく、基地局102a及び102bは、eNBであってよい（あるいはeNBを含んでよい）。第2のRAT（RAT2と示される）は、カバレッジセル110内でサービスを提供する基地局108によりサポートされることができる。第3のRAT（RAT3と示される）は、カバレッジセル114内でサービスを提供する基地局112によりサポートされることができる。いくつかの実施形態において、第2及び第3のRATは、異なるRATであってよい（例えば、UTRAテクノロジー及びGERAテクノロジー）。いくつかの実施形態において、第2及び第3のRATのうち1又は複数が、第1のRATとは異なるRATである。カバレッジセル104a、104b、110及び114は、複数の組み合わせのうち任意のものにおいてオーバラップしてよい。
【００１５】
いくつかの実施形態において、第1のRATは、概して106と示された、第1のRAT下で不足したサービスのエリアを表すカバレッジホールを有し得る。不足したサービスは、例えば、所望されるレベルの信号強度に達しなかったこと、又は特定数のアクセス試行（例えば、無線リソース制御（RRC）接続試行及び／又はランダムアクセス試行）内でUE装置にサービスを提供するのに成功しなかったことを含んでよい。カバレッジホール106は、基地局102aと102bとの地理的分離の結果、基地局102aと102bとの間の障害物（ビルなど）の結果、又はカバレッジセル104a及び104bの間にすき間（gap）をもたらす複数の他の状態のうち任意のものの結果であってよい。UEが、RAT1カバレッジセル104aから線116に沿って右に進むとき、UEは、UE自体がカバレッジホール106に近づくにつれ、不十分なRATサービスを経験する可能性がある。こうした状況は、信号強度図122に表され、信号強度図122は、場所118（カバレッジホール106に近接する）におけるRAT1信号の強度が低過ぎて適切なRAT1サービスをサポートできない可能性があることを示している。いくつかの実施形態において、UEは、UE自体が場所118に近接するとき、RAT2（基地局108によりサポートされる）にハンドオーバされることができる。このインターRATハンドオーバは、例えば、RAT2信号の強度がRAT1信号の強度を超えて相対的又は絶対的閾値より大きいとき、生じることがある。
【００１６】
同様にして、UEがRAT1カバレッジセル104bから線116に沿って左に進むとき、UEは、UE自体がカバレッジホール106に近づくにつれ、不十分なRAT1サービスを経験する可能性がある。信号強度図122は、場所120（カバレッジホール106に近接する）におけるRAT1信号の強度が低過ぎて適切なRAT1サービスをサポートできない可能性があることを示している。いくつかの実施形態において、UEは、UE自体が場所120に近接するとき、RAT3（基地局112によりサポートされる）にハンドオーバされることができる。このインターRATハンドオーバは、例えば、RAT3信号の強度がRAT1信号の強度を超えて相対的又は絶対的閾値より大きいとき、生じ得る。
【００１７】
いくつかの実施形態において、インターRATハンドオーバ（場所118に近接したRAT1からRAT2へのハンドオーバや場所120に近接したRAT1からRAT3へのハンドオーバなど）に関連するイベントに応じて取られる測定値が使用されて、カバレッジホール（カバレッジホール106など）を識別することができる。例えば、ネットワーク管理（NM）装置は、インターRATハンドオーバイベントに応じてUEにより取られら測定値を含む複数のレポートを（例えば、1又は複数のeNBから）受信することができ、これらレポートに少なくとも部分的に基づいてカバレッジエリア内のホール（ホールの場所及び大きさ）を識別することができる。さらなる実施形態が本明細書において説明される。
【００１８】
次に図2を参照し、種々の実施形態に従う、RATカバレッジ分析及び補正動作（corrective  action）のための一例示的システム200のブロック図を示す。システム200は、E-UTRANなどのRATをサポートするように構成されることができる。いくつかの実施形態において、システム200によりサポートされるRATは、図1の環境100の第1のRAT（RAT1）であってよい。システム200のコンポーネントの例は、しばしば、3GPP  LTE-A  RATを参照して論じらることがあるが、システム200を使用して他のRAT（本明細書に論じられるものなど）を実施してもよい。システム200は、例えば、HTTPを通じたマルチメディア配信、RTPを通じたライブストリーミング、会話サービス（例えば、ビデオ会議開催）及びTV放送などの、複数のサービスのうち任意のものを配信するように構成されることができる。システム200は、ネットワークインタフェース装置及び周辺装置（例えば、ネットワークインタフェースカード（NIC））、アクセスポイント（AP）、再分配ポイント、エンドポイント、ゲートウェイ、ブリッジ、ハブなどの、他のワイヤレスパーソナルエリアネットワーク（WPAN）装置、ワイヤレスローカルエリアネットワーク（WLAN）装置、ワイヤレスメトロポリタンエリアネットワーク（WMAN）装置及び／又はワイヤレスワイドエリアネットワーク（WWAN）装置を含んで、携帯電話システム、衛星システム、パーソナル通信システム（PCS）、双方向無線システム、単方向ページャシステム、双方向ページャシステム、パーソナルコンピュータ（PC）システム、パーソナルデータアシスタント（PDA）システム、パーソナルコンピューティングアクセサリ（PCA）システム及び／又は任意の他の適切な通信システムを実施することができる。本願実施形態は、LTE-Aネットワークの文脈において説明されることがあるが、本願実施形態は、他のネットワーク（例えば、WiMAXネットワーク）において採用されることもできる。
【００１９】
システム200は、NM装置202を含むことができる。いくつかの実施形態において、NM装置202は、システム200のコンポーネントを監視し、そのパフォーマンスの測定値を収集することができる。これらの測定値の分析に基づいて、NM装置202は、システム200のコンポーネントの構成及びオペレーションにおける潜在的な問題及び改善点を識別することができ、システム200に対して変更を実施することができる。NM装置202は、受信器回路222、カバレッジ分析回路224及び補正動作回路226を含むことができる。受信器回路222は、有線接続又はワイヤレス接続によって他の装置から信号を受信するように構成されることができる。例えば、受信器回路222は、eNB（eNB208〜212のうち任意のものなど）の要素マネージャ（EM）コンポーネント、ドメイン管理（DM）装置204（DM装置204はドメイン又はシステム200の他の部分に管理機能を提供することができる）又は任意の他の適切に構成された装置から信号を受信し、あるいはこれらに信号を送信するように構成されてよい。いくつかの実施形態において、NM装置202は、有線接続を介してeNBと通信することができる。受信器回路222がワイヤレス通信のために構成される実施形態において、これは、例えば、ダイポールアンテナ、モノポールアンテナ、パッチアンテナ、ループアンテナ、マイクロストリップアンテナ、及び／又は無線周波数（RF）若しくは他のワイヤレス通信信号の受信に適した他の種類のアンテナなどの、1又は複数の指向性又は全方向性のアンテナ（図示せず）を含んでよい。
【００２０】
いくつかの実施形態において、受信器回路222は、第1のRATと該第1のRATとは異なる第2のRATとの間の第1のUEのハンドオーバに関連するイベントに応じて、第1のUEにより取られた1又は複数の測定値を含む、第1のレポートを受信するように構成されることができる。ハンドオーバに関連するイベントは、ハンドオーバコマンドの発行、ハンドオーバコマンドの受信、ハンドオーバ状態の存在（十分に好ましい信号強度が別のRATによってUEに提供されるなど）、又は任意の他のハンドオーバ関連のイベントであってよい。システム200によりサポートされるRATは、第1のUEのハンドオーバに関わる第1のRAT又は第2のRATであってよい。
【００２１】
第1のレポートは、参照信号受信電力（reference  signal  received  power）（RSRP）、参照信号受信品質（reference  signal  received  quality）（RSRQ）、第1のRATにおいて第1のUEにサービスした（served）セルの識別子、場所情報（例えば、ハンドオーバコマンドがUEにおいて受信されたときのUEの場所に関する情報）、ハンドオーバに関連するイベントの時刻を表すタイムスタンプ（例えば、インターRATハンドオーバの時刻のタイムスタンプ）のうち1又は複数などの、第1のUEにより取られる複数の測定値のうち任意のものを含むことができる。
【００２２】
いくつかの実施形態において、受信器回路222は、第1のRATと該第1のRATとは異なる第3のRATとの間の第2のUEのハンドオーバに関連するイベントに応じて第2のUEにより取られた1又は複数の測定値を含む第2のレポートを受信するように構成されることができる。例えば、システム200は、E-UTRAテクノロジーをサポートすることができる。いくつかのこうした実施形態において、第1のUEのハンドオーバは、第1のE-UTRANセルと第2のRATとの間で生じることがあり、第2のUEのハンドオーバは、第2のE-UTRANセルと第3のRATとの間で生じることがある。いくつかの実施形態において、第2のE-UTRANセルが、第1のE-UTRANセルとは異なってよい。いくつかの実施形態において、第2及び第3のRATの各々は、UTRAテクノロジー又はGERAテクノロジーである。いくつかの実施形態において、第1のUEと第2のUEとは、共通のUEであってよい（例えば、複数のインターRATハンドオーバを被るUE）。
【００２３】
いくつかの実施形態において、第1及び第2のレポートのうち1又は複数が、eNB208〜212のうち任意のものなどのeNBによってNM装置202に送信されることができる。いくつかのこうした実施形態において、eNBに組み込まれ又は関連付けられた要素マネージャが、第1及び第2のレポートのうち1又は複数をNM装置202に送信することができる。いくつかの実施形態において、1又は複数のレポートが、1又は複数のeNB（図示されるとおり、eNB208及び210など）と通信するドメイン管理（DM）装置204によってNM装置202に送信されることができる。いくつかの実施形態において、1又は複数のレポートが、DM装置（DM装置204など）及び／又は1若しくは複数のeNB（図示されるとおり、eNB208など）と通信するトレース収集エンティティ（TCE）206によってNM装置202に送信されることができる。
【００２４】
上記で論じられたとおり、NM装置202は、カバレッジ分析回路224と補正動作回路226とを含むことができる。いくつかの実施形態において、カバレッジ分析回路224と補正動作回路226とは、NM装置202の集中化されたカバレッジ及び容量最適化（CCO）機能242に含まれることができる。カバレッジ分析回路224は、上記で論じられた第1及び第2のレポートなどの、ハンドオーバに関連するレポートに少なくとも部分的に基づいて、システム200によりサポートされるRATのカバレッジエリア内のホールを識別するように構成されることができる。例えば、いくつかの実施形態において、カバレッジ分析回路224は、複数のレポート（例えば、第1及び第2のレポート）を相互に関連付けることによって、RATのカバレッジエリア内のホールを識別することができる。複数のレポートを相互に関連付けることには、とりわけ、複数のレポートを同じユーザセッション発生又は同じ地理的エリアで関連付けることを含むことができる。
【００２５】
補正動作回路226は、カバレッジ分析回路224により識別されたカバレッジホールに基づいて補正動作を推奨するように構成されることができる。いくつかの実施形態において、補正動作を実施するコマンドが、eNB208〜212又はUE214〜220のうち1又は複数などの、システム200の1又は複数のコンポーネントに送信されることができる。いくつかの実施形態において、カバレッジ分析回路224及び／又は補正動作回路226は、カバレッジ情報又は補正動作推奨を人間のオペレータに提供するように構成された表示又は他の出力を含むことができ、それから、このオペレータは適宜介在することができる。
【００２６】
システム200は、eNB208〜212などの1又は複数のeNBを含むことができる。eNB208〜212の各々は、複数のコンポーネントを含むことができ、例示を容易にするため、eNB208のコンポーネントだけが図2に示されている。eNB208以外のeNBが、同様のコンポーネントを有することができる。eNB208のコンポーネントは、以下で詳細に論じられるとおり、図1の基地局102a、102b、108及び112のうち1又は複数に含まれることができる。
【００２７】
図示されるとおり、eNB208は、第1の送信器回路228を含むことができる。第1の送信器回路228は、ワイヤレス信号を他の装置に送信するように構成されることができる。例えば、第1の送信器回路228は、UE214又はワイヤレス通信のために適切に構成された他の装置にワイヤレス信号を送信するように構成されてよい。第1の送信器回路228は、例えば、上記で論じられたように、1又は複数の指向性又は全方向性のアンテナ（図示せず）を含むことができる。いくつかの実施形態において、第1の送信器回路228は、eNBによりサービスされるセル内のUEに、システム200を介してeNB208によりサポートされるRATとは異なるRATにUEをハンドオーバするコマンドを送信するように構成されることができる。例えば、eNB208によりサポートされるRATはE-UTRAテクノロジーであってよく、別のRATは、UTRAテクノロジー又はGERAテクノロジーであってよい。
【００２８】
eNB208は、受信器回路230を含むことができる。受信器回路230は、有線接続又はワイヤレス接続を介して他の装置から信号を受信するように構成されることができる。例えば、受信器回路230は、NM装置202、DM装置204、TCE206、UE214又は適切に構成された他の装置から信号を受信するように構成されてよい。受信器回路230は、ワイヤレス信号を受信するように構成される場合、例えば、上記で論じられたように、1又は複数の指向性又は全方向性のアンテナ（図示せず）を含むことができる。いくつかの実施形態において、eNB208の受信器回路230は、ハンドオーバコマンドに応答したUEから、このUEにより取られ、かつeNB208によりサービスされるセルの境界に近接した状態を表す1又は複数の測定値を、受信するように構成されることができる。いくつかの実施形態において、上記1又は複数の測定値は、UEにおけるコマンドの受信に応じて、このUEによって取られることができる。いくつかの実施形態において、上記1又は複数の測定値は、UEにおけるコマンドの受信の前に、このUEによって取られることができる。
【００２９】
いくつかの実施形態において、第1の送信器回路228（上記で論じられた）は、UEに、セルの境界に近接した状態を表すものとしてどの測定値がこのUEにより取られるべきかを表すパラメータを送信するように構成されることができる。例えば、パラメータは、RSRP、RSRQ、セルの識別子、場所情報、及びハンドオーバに関連するイベントの時刻を表すタイムスタンプのうち、1又は複数を表すことができる。いくつかの実施形態において、パラメータは、eNB（eNB208など）によって、DM装置（DM装置204など）によって、NM装置（NM装置202など）によって、システム200の別のコンポーネントによって、又はコンポーネントの組み合わせによって選択されることができる。
【００３０】
いくつかの実施形態において、第1の送信器回路228は、UEからの測定値のレポーティングを始動させるトリガ信号をUEに送信するように構成されることができる。このトリガ信号は、上記で論じられたようなどの測定値がUEにより取られるべきかを表すパラメータに含まれてもよく、あるいはこれとは別個であってもよい。
【００３１】
eNB208は、第2の送信器回路232を含むことができる。第2の送信器回路232は、有線接続又はワイヤレス接続を介して他の装置に信号を送信するように構成されることができる。例えば、第2の送信器回路232は、NM装置202、DM装置204、TCE206又は適切に構成された他の装置に信号を送信するように構成されてよい。第2の送信器回路232は、ワイヤレス信号を送信するように構成される場合、例えば、上記で論じられたように、1又は複数の指向性又は全方向性のアンテナ（図示せず）を含むことができる。いくつかの実施形態において、第2の送信器回路232は、DM装置（DM装置204など）又はNM装置（NM装置202など）に、UEからの1又は複数の測定値を含むレポートを送信するように構成されることができる。DM装置又はNM装置は、上記レポートを使用して、システム200によりサポートされるRATにおけるカバレッジホールを識別することができる。いくつかの実施形態において、上記レポートは、NM装置のCCO機能に送信される。
【００３２】
システム200は、UE214〜220などの1又は複数のUEを含むことができる。UE214〜220のうち1又は複数が、デスクトップコンピュータ、ラップトップコンピュータ、ハンドヘルドコンピュータ、タブレットコンピュータ、携帯電話、ページャ、オーディオプレーヤやビデオプレーヤ（例えば、MP3プレーヤ又はDVDプレーヤ）、ゲーム用装置、ビデオカメラ、デジタルカメラ、ナビゲーション装置（例えば、GPS装置）、ワイヤレス周辺装置（例えば、プリンタ、スキャナ、ヘッドセット、キーボード、マウスなど）、医療装置（例えば、心拍モニタ、血圧モニタなど）、及び／又は他の適切な固定の、ポータブルの若しくはモバイルの電子装置などの、複数のワイヤレス電子装置のうち任意のものを含むことができる。いくつかの実施形態において、UE214〜220のうち1又は複数が、PDA、携帯電話、タブレットコンピュータ若しくはラップトップコンピュータなどの、モバイルワイヤレス装置であってよい。UE214〜220の各々は、複数のコンポーネントを含むことができ、例示を容易にするために、UE214のコンポーネントだけが図2に示されている。UE214以外のUEが同様のコンポーネントを有することができる。
【００３３】
図示されるとおり、UE214は、受信器回路234を含むことができる。受信器回路234は、他の装置からワイヤレス信号を受信するように構成されることができる。例えば、受信器回路234は、eNB208又はワイヤレス通信のために適切に構成された他の装置からワイヤレス信号を受信するように構成されてよい。受信器回路234は、例えば、上記で論じられたように、1又は複数の指向性又は全方向性のアンテナ（図示せず）を含むことができる。いくつかの実施形態において、受信器回路234は、UE214にサービスしているeNB（eNB208など）から、システム200によりサポートされるRATとは異なるRATにUE214をハンドオーバするコマンドを受信するように構成されることができる。いくつかの実施形態において、上記異なるRATは、例えば、UTRAテクノロジー又はGERAテクノロジーであってよい。いくつかの実施形態において、システム200によりサポートされるRAT（例えば、E-UTRAテクノロジー）は、上記コマンドが受信されたとき、UE214に近接してカバレッジホールを有する可能性がある。いくつかの実施形態において、受信器回路234は、UE214がeNBによりサービスされるセルの境界に近接したとき、UE214を異なるRATにハンドオーバするコマンドを受信することができる。いくつかの実施形態において、受信器回路234は、UE214がeNBによりサービスされるE-UTRANセルの境界に近接し、かつこのUEにサービスするほどこのUEに十分に近い他のE-UTRANセルがないとき、UE214を異なるRATにハンドオーバするコマンドを受信することができる。
【００３４】
UE214は、送信器回路236を含むことができる。送信器回路236は、他の装置にワイヤレス信号を送信するように構成されることができる。例えば、送信器回路236は、eNB208又はワイヤレス通信のために適切に構成された他の装置にワイヤレス信号を送信するように構成されてよい。送信器回路236は、例えば、上記で論じられたように、1又は複数の指向性又は全方向性のアンテナ（図示せず）を含むことができる。いくつかの実施形態において、送信器回路236は、UE214により取られた1又は複数の測定値を、eNB208又はシステム200の別のコンポーネントに送信するように構成されることができる。この測定値は、カバレッジホールに近接した状態を表し得る。いくつかの実施形態において、送信器回路236は、ハンドオーバコマンドを受信したことに応じて測定値を送信することができる。いくつかの実施形態において、送信器回路236は、トリガ信号を検出すると、1又は複数の測定値を送信することができる。トリガ信号は、eNB（eNB208など）又はシステム200の何らかの他のコンポーネントから送信されることができ、あるいは、UE214の内部で送受信されることができる。トリガ信号は、ハンドオーバコマンドに関連付けられることができる（例えば、ハンドオーバコマンドの受信又はハンドオーバの正常終了を示す）。
【００３５】
UE214は、ハンドオーバ回路238を含むことができる。ハンドオーバ回路238は、UE214の異なるRATへのハンドオーバを行うように（又はその実行を支援するように）構成されることができる。例えば、ハンドオーバ回路238は、UE214をサービスの中断なしに異なるRATに移行するように構成されてよい。ハンドオーバ回路238は、例えば、種々のハンドオーバプロトコルに従って要求、確認、エラー及びセキュリティ情報メッセージを送信し、及び受信するためのシグナリング回路を含むことができる。いくつかの実施形態において、ハンドオーバ回路238は、1又は複数の測定値が（送信器回路236によって）eNB208又はシステム200の別のコンポーネントに送信された後、ハンドオーバを行うことができる。
【００３６】
UE214は、測定回路240を含むことができる。測定回路240は、送信器回路236を参照して上記で論じられた1又は複数の測定値を取るように構成されることができる。具体的に、いくつかの実施形態において、1又は複数の測定値は、RSRP、RSRQ、システム200によりサポートされるRATにおいてUEにサービスしたセルの識別子、場所情報、及びハンドオーバに関連するイベント（ハンドオーバコマンドの受信など）の時刻を表すタイムスタンプを含むことができる。
【００３７】
次に図3を参照して、種々の実施形態に従う、NM装置（図2のNM装置202など）により実行可能な例示的インターRATハンドオーバプロセス300のフロー図を示す。プロセス300のオペレーション（及び、本明細書に説明される他のプロセス）が特定の順序で配置され、各々1回示されるが、種々の実施形態において、オペレーションの1又は複数が繰り返されてよく、省略されてよく、あるいは違う順序で行われてよいことを認識されたい。例示を目的として、プロセス300のオペレーションは、NM装置202（図2）によって行われるとして説明されることになるが、プロセス300は、任意の適切に構成された装置によって行われることができる。
【００３８】
プロセス300はオペレーション302において始まることができ、オペレーション302において、NM装置202は、第1のUE（図2のUE214など）により取られた1又は複数の測定値を含む第1のレポートを、第1のRATと該第1のRATとは異なる第2のRATとの間の第1のUEのハンドオーバに関連するイベントに応じて受信することができる。いくつかの実施形態において、オペレーション302は、受信器回路222（図2）によって実行されることができる。いくつかの実施形態において、第1のRATは、E-UTRAテクノロジーであってよい。いくつかの実施形態において、第1のレポートに含まれる1又は複数の測定値は、RSRP、RSRQ、第1のRATにおいて第1のUEにサービスしたセルの識別子、場所情報、及びハンドオーバに関連するイベントの時刻を表すタイムスタンプのうち、1又は複数を含むことができる。
【００３９】
オペレーション304において、NM装置202は、第2のUEにより取られた1又は複数の測定値を含む第2のレポートを、第1のRATと該第1のRATとは異なる第3のRATとの間の第2のUEのハンドオーバに関連するイベントに応じて受信することができる。いくつかの実施形態において、オペレーション304は、受信器回路222（図2）によって実行されることができる。いくつかの実施形態において、第1及び第2のUEは共通のUEであってよい。いくつかの実施形態において、第2及び第3のRATの各々は、UTRAテクノロジー又はGERAテクノロジーであってよい。いくつかの実施形態において、第1のRATと第2のRATとの間の第1のUEのハンドオーバ（オペレーション302を参照して上記で論じられた）は、第1のE-UTRANセルと第2のRATとの間の第1のUEのハンドオーバであってよく、第1のRATと第3のRATとの間の第2のUEのハンドオーバは、第2のE-UTRANセルと第3のRATとの間の第2のUEのハンドオーバであってよい。第2のE-UTRANセルは、第1のE-UTRANセルとは異なってよい。
【００４０】
オペレーション306において、NM装置202は、第1の及び第2のレポート（それぞれ、オペレーション302及び304において受信された）に少なくとも部分的に基づいて、第1のRATのカバレッジエリア内のホールを識別することができる。いくつかの実施形態において、オペレーション306は、カバレッジ分析回路224（図2）によって実行されることができる。いくつかの実施形態において、オペレーション306は、第1の及び第2のレポートを相互に関連付けることを含むことができる。オペレーション308において、NM装置202は、識別されたホールに基づいて補正動作を推奨することができる。いくつかの実施形態において、オペレーション308は、補正動作回路226（図2）によって実行されることができる。それから、プロセス300は終了することができる。
【００４１】
次に図4を参照して、種々の実施形態に従う、eNB装置（図2のeNB208など）により実行可能な例示的インターRATハンドオーバプロセス400のフロー図を示す。例示を目的として、プロセス400のオペレーションは、eNB208（図2）によって行われるとして説明されることになるが、プロセス400は、任意の適切に構成された装置によって行われることができる。eNB208はさらに、第1のRAT（例えば、E-UTRAテクノロジー）をサポートするとして説明されることになる。
【００４２】
プロセス400は、オペレーション402において始まることができ、オペレーション402において、eNB208は、eNB208によりサービスされるセル内のUEに、第1のRATとは異なる第2のRATにUEをハンドオーバするコマンドを送信することができる。いくつかの実施形態において、オペレーション402は、第1の送信器回路228（図2）によって実行されることができる。いくつかの実施形態において、第2のRATは、UTRAテクノロジー又はGERAテクノロジーである。
【００４３】
オペレーション404において、eNB208は、UEに、セルの境界に近接した状態を表すものとしてどの測定値がこのUEにより取られるべきかを表すパラメータを送信することができる。いくつかの実施形態において、オペレーション404は、第1の送信器回路228（図2）によって実行されることができる。パラメータは、RSRP、RSRQ、セルの識別子、場所情報、及びハンドオーバに関連するイベントの時刻を表すタイムスタンプを、表すことができる。
【００４４】
オペレーション406において、eNB208は、オペレーション402のコマンドに応答したUEから、このUEにより取られ、かつセルの境界に近接した状態を表す1又は複数の測定値を受信することができる。いくつかの実施形態において、オペレーション406は、受信器回路230（図2）によって実行されることができる。いくつかの実施形態において、1又は複数の測定値は、UEにおける（オペレーション402の）コマンドの受信に応じて、UEによって取られることができる。いくつかの実施形態において、1又は複数の測定値は、UEにおける（オペレーション402の）コマンドの受信の前に、UEによって取られることができる。
【００４５】
オペレーション408において、eNB208は、DM装置又はNM装置に、第1のRATにおけるカバレッジホールの識別に用いる1又は複数の測定値を含むレポートを送信することができる。いくつかの実施形態において、オペレーション408は、第2の送信器回路222（図2）によって実行されることができる。いくつかの実施形態において、オペレーション408において送信されるレポートは、NM装置のCCO機能に送信されることができる。
【００４６】
次に図5を参照して、種々の実施形態に従う、UE（図2のUE214など）により実行可能な例示的インターRATハンドオーバプロセス500のフロー図を示す。例示を目的として、プロセス500のオペレーションは、UE214（図2）によって行われるとして説明されることになるが、プロセス500は、任意の適切に構成された装置によって行われることができる。
【００４７】
プロセス500はオペレーション502において始まることができ、オペレーション502において、UE214は、UE214にサービスするeNB（例えば、図2のeNB208）であってUE214に近接してカバレッジホールを有する第1のRATに関連付けられたeNBから、UE214を第1のRATとは異なる第2のRATにハンドオーバするコマンドを受信することができる。いくつかの実施形態において、オペレーション502は、受信器回路234（図2）によって実行されることができる。いくつかの実施形態において、第2のRATは、UTRAテクノロジー又はGERAテクノロジーであってよい。いくつかの実施形態において、オペレーション502においてUE214を第2のRATにハンドオーバするコマンドを受信することは、UE214がeNB（例えば、eNB208）によりサービスされる第1のRATのセルの境界に近接しているとき、生じ得る。例えば、いくつかの実施形態において、オペレーション502においてUE214を第2のRATにハンドオーバするコマンドを受信することは、UE214が、eNBによりサービスされるE-UTRANセルの境界に近接し、かつUE214にサービスするほどUE214に十分に近い他のE-UTRANセルがないとき、生じ得る。
【００４８】
オペレーション504において、UE214は、カバレッジホールに近接した状態を表す1又は複数の測定値を取ることができる。いくつかの実施形態において、オペレーション502において取られる1又は複数の測定値は、RSRP、RSRQ、第1のRATにおいてUE214にサービスしたセルの識別子、場所情報、及び／又はハンドオーバに関連するイベントの時刻を表すタイムスタンプを含むことができる。いくつかの実施形態において、オペレーション504は、測定回路240（図2）によって行われることができる。
【００４９】
オペレーション506において、UE214は、eNBに、オペレーション502のコマンドを受信したことに応答して、UEにより取られた1又は複数の測定値を送信することができる。いくつかの実施形態において、オペレーション506は、送信器回路236（図2）によって行われることができる。
【００５０】
オペレーション508において、UE214は、第2のRATへのハンドオーバを（オペレーション502のコマンドごとに）行うことができる。いくつかの実施形態において、オペレーション508は、1又は複数の測定値がeNBに送信された後、行うことができる。いくつかの実施形態において、オペレーション508は、ハンドオーバ回路238（図2）によって行われることができる。それから、プロセス500は終了することができる。
【００５１】
いくつかの実施形態において、オペレーション508のインターRATハンドオーバの後、UE214は、インターRATハンドオーバの前、その間又はその後の測定値のログを取り、それから、これら測定値をNM装置202による受信のために送信するように構成されることができる。インターRATハンドオーバ後の測定値の送信は、ハンドオーバ前の測定値の送信に対して追加で（例えば、オペレーション506ごとに）、又はハンドオーバ前の測定値の送信に代わって生じてよい。いくつかの実施形態において、UE214は、インターRATハンドオーバの後、UTRAN又はGERANに測定値を送信することができ、このUTRAN又はGERANは、測定値をNM装置202に転送することができる。いくつかの実施形態において、UE214は、インターRATハンドオーバの後、UE214がE-UTRANに接続されるまで、測定値を送信するのを待つことができ、それから、測定値をE-UTRANに送信することができる。
【００５２】
図6は、種々の開示された実施形態を実施するのに適し得る例示的コンピューティング装置600のブロック図である。例えば、コンピューティング装置600のコンポーネントのいくつか又はすべてが、NM装置（図2のNM装置202など）、DM装置（図2のDM装置204など）、TCE（図2のTCE206など）、eNB（図1のeNB102a、102b、108及び112並びに図2のeNB208〜212など）又はUE（図2のUE214〜220など）のうち任意のものにおいて使用されてよい。コンピューティング装置600は、1又は複数のプロセッサ604と少なくとも1つの通信チップ606とを含む、複数のコンポーネントを含むことができる。種々の実施形態において、プロセッサ604は、プロセッサコアを含んでよい。種々の実施形態において、少なくとも1つの通信チップ606は、プロセッサ604に物理的及び電気的に結合されてもよい。さらなる実装例において、通信チップ606は、プロセッサ604の一部であってよい。種々の実施形態において、コンピューティング装置600は、PCB602を含んでよい。上記実施形態に関して、プロセッサ604と通信チップ606とは、PCB602上に配列されてよい。代わりの実施形態において、種々のコンポーネントがPCB602を用いずに結合されてよい。通信チップ606は、本明細書に説明される受信器及び／又は送信器回路のうち任意のものに含まれてよい。
【００５３】
コンピューティング装置600は、その用途に依存して、他のコンポーネントを含むことができ、該他のコンポーネントは、PCB602に物理的及び電気的に結合されてもよく、結合されなくてもよい。上記他のコンポーネントは、これらに限定されないが、揮発性メモリ（例えば、DRAMとも呼ばれるダイナミックランダムアクセスメモリ608）、不揮発性メモリ（例えば、“ROM”とも呼ばれる読取専用メモリ610、1若しくは複数のハードディスクドライブ、1若しくは複数のソリッドステートドライブ、1若しくは複数のコンパクトディスクドライブ及び／又は1若しくは複数のデジタル多用途ディスクドライブ）、フラッシュメモリ612、入力／出力コントローラ614、デジタルシグナルプロセッサ（図示せず）、暗号プロセッサ（図示せず）、グラフィクスプロセッサ616、1又は複数のアンテナ618、タッチスクリーンディスプレイ620、タッチスクリーンコントローラ622、他のディスプレイ（図示されていない液晶ディスプレイ、CRTディスプレイ、電子インク（e-ink）ディスプレイなど）、バッテリ624、オーディオコーデック（図示せず）、ビデオコーデック（図示せず）、グローバルポジショニングシステム（GPS）装置628、コンパス630、加速度計（図示せず）、ジャイロスコープ（図示せず）、スピーカ632、カメラ634、大容量記憶装置（ハードディスクドライブ、ソリッドステートドライブ、コンパクトディスク（CD）、デジタル多用途ディスク（DVD）など）（図示せず）などを含む。種々の実施形態において、プロセッサ604を他のコンポーネントと同じダイ上に集積してシステムオンチップ（SoC）を形成してよい。
【００５４】
種々の実施形態において、揮発性メモリ（例えば、DRAM608）、不揮発性メモリ（例えば、ROM610）、フラッシュメモリ612及び大容量記憶装置は、プログラミング命令を含んでよく、このプログラミング命令は、プロセッサ604による実行に応答して、本明細書に説明されたプロセスのうちすべての態様又は選択された態様をコンピューティング装置600が実施することを可能にするように構成される。例えば、命令は、実行されると、本明細書に説明されたプロセスのうちすべての態様又は選択された態様を実施するように構成された制御モジュール636をコンピューティング装置600が動作させることを可能にし、この命令の一時的及び／又は永続的なコピーを、揮発性メモリ（例えば、DRAM608）、不揮発性メモリ（例えば、ROM610）、フラッシュメモリ612及び大容量記憶装置などのメモリコンポーネントの1又は複数が含んでよい。コンピューティング装置600からアクセス可能なメモリは、コンピューティング装置600がインストールされた装置の物理的に一部である1若しくは複数のストレージリソース、及び／又はコンピューティング装置によりアクセス可能であるが必ずしもその一部ではない1若しくは複数のストレージリソースを含んでよい。例えば、ストレージリソースは、通信チップ606を介してネットワークを通じてコンピューティング装置600によってアクセスされてよい。
【００５５】
通信チップ606は、コンピューティング装置600へのデータ及びコンピューティング装置600からのデータの伝達のための有線通信及び／又はワイヤレス通信を可能にすることができる。用語「ワイヤレス」とその派生語とは、非固体媒体を通じた変調電磁放射の使用を通じてデータを通信することができる回路、装置、システム、方法、手法、通信チャネルなどを説明するために使用され得る。上記用語は、関連する装置がいかなる有線回線（wires）も含まないことを示すものではなく、しかしながらいくつかの実施形態においては、関連する装置が有線回線を含まなくてよい。本明細書に説明される実施形態の多くが、WiFi及び3GPP/LTE通信システムを用いて使用されることができる。しかしながら、通信チップ606は、複数のワイヤレス標準又はプロトコルのうち任意のものを実装してよく、このワイヤレス標準又はプロトコルは、これらに限定されないが、IEEE702.20、GPRS（General  Packet  Radio  Service）、Ev-DO（Evolution  Data  Optimized）、HSPA+（Evolved  High  Speed  Packet  Access）、HSDPA+（Evolved  High  Speed  Downlink  Packet  Access）、HSUPA+（Evolved  High  Speed  Uplink  Packet  Access）、GSM（Global  System  for  Mobile  Communications）、EDGE（Enhanced  Data  rates  for  GSM  Evolution）、符号分割多重アクセス（CDMA）、時分割多重アクセス（TDMA）、DECT（Digital  Enhanced  Cordless  Telecommunications）、ブルートゥース、これらの派生物と、3G、4G、5G及びその上位として指定される任意の他のワイヤレスプロトコルとを含む。コンピューティング装置600は、複数の通信チップ606を含むことができる。例えば、第1の通信チップ606がWi-Fi及びブルートゥースなどのより短距離のワイヤレス通信専用であってよく、第2の通信チップ606がGPS、EDGE、GPRS、CDMA、WiMAX、LTE、Ev-DO及びその他などのより長距離のワイヤレス通信専用であってよい。
【００５６】
種々の実装例において、コンピューティング装置600は、ラップトップ、ネットブック、ノートブック、ウルトラブック、スマートフォン、コンピューティングタブレット、パーソナルデジタルアシスタント、ウルトラモバイルPC、モバイルフォン、デスクトップコンピュータ、サーバ、プリンタ、スキャナ、モニタ、セットトップボックス、エンターテインメント制御ユニット（例えば、ゲーム用コンソール）、デジタルカメラ、ポータブルミュージックプレーヤ又はデジタルビデオレコーダであってよい。さらなる実装例において、コンピューティング装置600は、データを処理する任意の他の電子装置であってよい。
【００５７】
上記で説明された手法を行うためのコンピュータ読取可能媒体（非一時的コンピュータ読取可能媒体を含む）、方法、システム及び装置は、本明細書に開示された実施形態の例示的な例である。さらに、他の装置が、種々の開示された手法を行うように構成されることができる。
【００５８】
下記の段落は、種々の実施形態の例を説明する。種々の実施形態において、1又は複数のコンピュータ読取可能媒体が命令を有し、上記命令は、実行されると、NM装置に：第1のUEにより取られた1又は複数の測定値を含む第1のレポートを、第1のRATと該第1のRATとは異なる第2のRATとの間の上記第1のUEのハンドオーバに関連するイベントに応じて、受信するステップと；第2のUEにより取られた1又は複数の測定値を含む第2のレポートを、上記第1のRATと上記第1のRATとは異なる第3のRATとの間の上記第2のUEのハンドオーバに関連するイベントに応じて、受信するステップと；上記第1のレポート及び上記第2のレポートに少なくとも部分的に基づいて、上記第1のRATのカバレッジエリア内のホールを識別するステップと、を実行させる。いくつかの実施形態において、上記第1のRATはE-UTRAテクノロジーである。いくつかの実施形態において、上記第2のRATと上記第3のRATとの各々は、UTRAテクノロジー又はGERAテクノロジーである。いくつかの実施形態において、上記第1のRATと上記第2のRATとの間の上記第1のUEのハンドオーバは、第1のE-UTRANセルと上記第2のRATとの間の上記第1のUEのハンドオーバであり、上記第1のRATと上記第3のRATとの間の上記第2のUEのハンドオーバは、第2のE-UTRANセルと上記第3のRATとの間の上記第2のUEのハンドオーバであり、上記第2のE-UTRANセルは、上記第1のE-UTRANセルとは異なる。いくつかの実施形態において、上記第1のレポートに含まれる1又は複数の測定値は、RSRP、RSRQ、上記第1のRATにおいて上記第1のUEにサービスしたセルの識別子、場所情報、及びハンドオーバに関連するイベントの時刻を表すタイムスタンプのうち、1又は複数を含む。いくつかの実施形態において、上記第1のUEと上記第2のUEとは共通のUEである。いくつかの実施形態において、上記第1のレポート及び上記第2のレポートに少なくとも部分的に基づいて上記第1のRATのカバレッジエリア内のホールを識別するステップは、上記第1のレポートと上記第2のレポートとを相互に関連付けるステップを含む。いくつかの実施形態において、当該1又は複数のコンピュータ読取可能媒体は命令をさらに含み、該命令は、実行されると、上記NM装置に、上記の識別されたホールに基づいて補正動作を推奨するステップを実行させる。NM装置のいくつかの実施形態が、前述の組み合わせを含む。
【００５９】
種々の実施形態において、第1のRATに関連付けられたeNBが：当該eNBによりサービスされるセル内のUEに、上記第1のRATとは異なる第2のRATに上記UEをハンドオーバするコマンドを送信する第1の送信器回路と；上記コマンドに応答した上記UEから、上記UEにより取られ、かつ上記セルの境界に近接した状態を表す1又は複数の測定値を受信する受信器回路と；DM装置又はNM装置に、上記第1のRATにおけるカバレッジホールの識別に用いる上記1又は複数の測定値を含むレポートを送信する第2の送信器回路と；を含む。いくつかの実施形態において、上記第2のRATはUTRAテクノロジー又はGERAテクノロジーを含む。いくつかの実施形態において、上記1又は複数の測定値は、上記UEにおけるコマンドの受信に応じて、上記UEによって取られる。いくつかの実施形態において、上記1又は複数の測定値は、上記UEにおけるコマンドの受信の前に、上記UEによって取られる。いくつかの実施形態において、上記第1の送信器回路は、上記UEに、上記セルの境界に近接した状態を表すものとしてどのパラメータが上記UEにより取られるべきかを表すパラメータをさらに送信する。いくつかの実施形態において、上記パラメータは、RSRP、RSRQ、上記セルの識別子、場所情報、及びハンドオーバに関連するイベントの時刻を表すタイムスタンプのうち、1又は複数を表す。いくつかの実施形態において、DM装置又はNM装置に、上記1又は複数の測定値を含むレポートを送信することは、NM装置のCCO機能に上記レポートを送信することを含む。eNBのいくつかの実施形態が、前述の組み合わせを含む。
【００６０】
種々の実施形態において、UEが：当該UEにサービスするeNBであって、当該UEに近接してカバレッジホールを有する第1のRATに関連付けられた、eNBから、上記第1のRATとは異なる第2のRATに当該UEをハンドオーバするコマンドを受信する受信器回路と；上記eNBに、上記コマンドの受信に応じて、上記UEにより取られ、かつ上記カバレッジホールに近接した状態を表す1又は複数の測定値を送信する送信器回路と；上記1又は複数の測定値が上記eNBに送信された後、上記第2のRATへのハンドオーバを行うハンドオーバ回路と；を含む。いくつかの実施形態において、上記第2のRATはUTRAテクノロジー又はGERAテクノロジーである。いくつかの実施形態において、当該UEを第2のRATにハンドオーバするコマンドの受信は、当該UEが上記第1のRATのセルの境界に近接したとき、生じる。いくつかの実施形態において、当該UEを第2のRATにハンドオーバするコマンドの受信は、当該UEが上記eNBによりサービスされるE-UTRANセルの境界に近接し、かつ当該UEにサービスするほど当該UEに十分に近い他のE-UTRANセルがないとき、生じる。いくつかの実施形態において、当該UEは、上記1又は複数の測定値を取る測定回路をさらに含み、上記1又は複数の測定値は、RSRP、RSRQ、上記第1のRATにおいて当該UEにサービスしたセルの識別子、場所情報、ハンドオーバに関連するイベントの時刻を表すタイムスタンプを含む測定値の群のうち1又は複数の測定値を含む。UEのいくつかの実施形態が、前述の組み合わせを含む。
【００６１】
説明のため、特定の実施形態が本明細書において例示され、説明されているが、同じ目的を達成するために作られる様々な代替の及び／又は均等の実施形態又は実装例が、本開示の範囲から逸脱することなしに、図示され説明された実施形態の代わりとされることができる。本出願は、本明細書に論じられた実施形態のいかなる適合又は変形もカバーすることが意図される。ゆえに、本明細書に説明される実施形態は、特許請求の範囲によってのみ限定されることが明白に意図される。
【００６２】
本開示は、「一の（“a”）」若しくは「第1の（“first”）」要素又はその同等物を挙げる場合、こうした開示は、1又は複数の上記要素を含むものであり、2以上の上記要素を要するものでも除外するものでもない。さらに、識別される要素のための序数表示（例えば、第1の、第2の又は第3の）は、要素間で区別するために使用されるものであり、上記要素の必要数又は限定数を示すものでも示唆するものでもなく、他に明記されない限り上記要素の特定の位置又は順序を示すものでもない。
【００６３】
関連出願の相互参照
本出願は、2012年7月27日に申請され“Advanced  Wireless  Communication  Systems  and  Techniques”と題された米国特許仮出願第61/676,775号と2012年12月28日に申請され“Identifying  Coverage  Holes  Using  Inter-Rat  Handover  Measurements”と題された米国特許出願第13/730,266号に対して優先権を主張する。本明細書において、これらの内容の全体を参照により援用する。
【図１】
2015526950.tif 000003
【図２】
2015526950.tif 000004
【図３】
2015526950.tif 000005
【図４】
2015526950.tif 000006
【図５】
2015526950.tif 000007
【図６】
2015526950.tif 000008
【国際調査報告】
2015526950.tif 000009
2015526950.tif 000010